(57)【要約】      （修正有）【課題】収納時に使用者はより簡単で力を使わず、設置する室内において占拠する面積を効果的に縮小可能な折畳み式ランニングマシーンを提供する。【解決手段】モーター４１を利用し前枠フレーム２の後端の高さを調整し、前枠フレームの後端に可動接続する後枠フレーム３はその傾斜角度を改変可能となり、使用者は上り坂のランニング運動を行うことができる。收納時もまたモーターを利用し先ず後枠フレームの前端を持ち上げ、次に後枠フレームの後端を持ち上げた後、前枠フレームは水平状態に置かれ、こうしてランニングマシーンの收納を簡単に完成することができる。【選択図】図１
0003133321.tif 000002
【実用新案登録請求の範囲】
【請求項１】
ベース、前枠フレーム、モーター、伸縮器、可動フレーム体、後枠フレーム、係止機構、気圧棒、バネを含み、
該ベースは、地面に立てることができ、その両側辺の左翼管、右翼管の内側辺には長方形レール溝を有する構成であり、
該前枠フレームの両側辺の前端は、ピボット棒により該ベースの左翼管、右翼管上に回動可能に接続してある構成であり、
該モーターは、該前枠フレーム上に設置された構成であり、
該伸縮器は、該前枠フレーム上に固定されて該モーターに駆動された構成であり、
該可動フレーム体は、両側にそれぞれ左翼側板と右翼側板を設置し、該左、右翼側板上端は各ピボット棒により該前枠フレームの左、右側辺上に回動可能に接続され、該左、右翼側板の下端は軸棒によりスライドホイールを固定し、該スライドホイールは該左翼管、右翼管のレール溝内に位置し、該可動フレーム体上には別に連接部を設置し、ピボット棒により該伸縮器の内管の外端に回動可能に接続された構成であり、
該後枠フレームは、左枠体、右枠体、前スピンドル、後スピンドル及び該前、後スピンドル間に設置するランニングベルトにより構成し、該後枠フレーム前端はピボット棒により該前枠フレームの後端上に回動可能に接続され、該後枠フレーム及び該前枠フレームは該ピボット棒を回転の中心とされた構成であり、
該係止機構は、ピボット棒により該後枠フレーム上に回動可能に設置され、該係止機構はその後翼板上にＵ字状受け部を設置する構成であり、
該気圧棒の一端は、該係止機構のピボット棒上に回動可能に設置し、反対端は該ベース上に回動可能に設置する構成であり、
該バネの一端は、該後枠フレームに固定され、反対端は該係止機構上に固定された構成であり、
ランニングマシーンの該前枠フレーム、該後枠フレームが相互に可動接続する位置は可動点を形成し、該後枠フレームは上り坂ランニングの変化を形成可能であり、該係止機構のＵ字状受け部が該伸縮器の内管上に係合して該後枠フレームが固定される構成としたことを特徴とする折畳み式ランニングマシーン。
【請求項２】
前記係止機構の前端には、操作に用いるレンチ端を設置することを特徴とする請求項１記載の折畳み式ランニングマシーン。
【請求項３】
前記気圧棒は、油圧棒で代用可能であることを特徴とする請求項１記載の折畳み式ランニングマシーン。
【考案の詳細な説明】
【技術分野】
【０００１】
本考案は折畳み式ランニングマシーンに係り、特に、一種の半自動の折畳み方式ランニングマシーンで、収納時に使用者はより簡単で力を使わず、設置する室内において占拠する面積を効果的に縮小可能で、モーターを利用し伸縮器を駆動し伸縮器を伸長させ、伸縮器の内管は連接部を押しそれを回転させ、これにより可動フレーム体は上方へとオーバーターンし、前枠フレーム後端の高度を持ち上げ、前枠フレーム後端に可動接続する後枠フレームはその傾斜角度を改変可能となり、使用者は上り坂のランニング運動が可能となり、收納時もまたモーターを利用し先ず後枠フレーム前端を持ち上げ、次に後枠フレーム後端を持ち上げた後、前枠フレームは水平状態に置かれ、係止機構後端のＵ字状受け部が伸縮器内管に係合すると、ランニングマシーンの收納動作を完成することができる折畳み式ランニングマシーンに関する。
【背景技術】
【０００２】
室内ランニングマシーンは徐々に愛好者が増えているが、一般家庭の限られた室内空間内で設置するには一定の面積を占める運動器材である。そのため、室内空間の使用において極めて不便であり、購買意欲を低下させる要因となっている。
【０００３】
これに対応し折畳み式ランニングマシーンが考案されたが、その機械設計は改善を要する。これまでの收納方式は枠フレーム体をベース上に立つ直立棒上に可動接続し、ピボットを回転の中心とし、手動で或いは機械により自動で、枠フレーム体を垂直状態にオーバーターンさせていた。
【０００４】
しかし、枠フレーム体前端は通常はモーター等の電気設備を装置するため、もしピボットの設計位置があまりに前面に偏っていると、オーバーターン時にモーター等配備の重量を受けとめなければならないため、比較的大きな力量を加えなければフレーム体を垂直状態にオーバーターンさせることはできない。さらに、垂直の枠フレーム体の重量は比較的大きいため、落下の虞れもある。
【０００５】
一方、ピボットの設計位置が後面に偏り過ぎていると、大きな力を加えなくてもオーバーターンさせることはできるが、枠フレーム体前端の下方へとオーバーターンさせる部分が長くなり過ぎ、枠フレーム体前端の機具が地面に接触することを避けるため、ピボット設計の位置は高くせざるを得ない。このような設計により、使用者はマシーン上で運動する時、より高い位置に登らなければならず、使用が不便である。
【考案の開示】
【考案が解決しようとする課題】
【０００６】
本考案は上記問題を解決するため、二段式折畳みの枠フレーム体を設計する。
【０００７】
モーターを利用し前枠フレーム後端の高度を調整することで、前枠フレーム後端に可動接続する後枠フレームはその傾斜角度を改変可能となり、使用者は上り坂のランニング運動が可能となる。
【０００８】
收納時もまたモーターを利用し先ず後枠フレームの前端を持ち上げ、次に後枠フレーム後端を持ち上げた後、前枠フレームは水平状態に置かれ、こうしてランニングマシーンの收納を簡単に完成することができる。
【課題を解決するための手段】
【０００９】
上記課題を解決するため、本考案は下記の折畳み式ランニングマシーンを提供する。
それは主に折畳み式ランニングマシーンを提供し、それは半自動の折畳み方式ランニングマシーンで、収納時に使用者はより簡単で力を使わず、設置する室内において占拠する面積を効果的に縮小可能で、
モーターを利用し伸縮器を駆動し伸縮器を伸長させ、伸縮器の内管は連接部を押しそれを回転させ、これにより可動フレーム体は上方へとオーバーターンし、前枠フレーム後端の高度を持ち上げ、前枠フレーム後端に可動接続する後枠フレームはその傾斜角度を改変可能となり、使用者は上り坂のランニング運動が可能となり、
收納時もまたモーターを利用し先ず後枠フレームの前端を持ち上げ、次に後枠フレームの後端を持ち上げた後、前枠フレームは水平状態に置かれ、係止機構後端のＵ字状受け部が伸縮器内管に係合するとランニングマシーンの收納動作を完成することができる折畳み式ランニングマシーンを提供する。
【考案の効果】
【００１０】
上記のように、本考案設計により、枠フレーム体前端の機具は收納時に前枠フレーム上に平らに寝かせることができるようになり、枠フレーム体の垂直收納時の重心位置が比較的低くなり、より安全性が高くなる。また前枠フレームは收納時に下方へとオーバーターンさせる必要がなくなり、枠フレーム体プラットフォームの設計高度を低下させることができる。こうして使用者はマシーンに登る時、大きく跨がなくても枠フレーム体上のランニングベルトに乗ることができ、使用上便利である。
【考案を実施するための最良の形態】
【００１１】
本考案の具体的構造、作動について以下に図を用い説明する。
【実施例】
【００１２】
図１、２に示すように、本考案になる折畳み式ランニングマシーンは、ベース１、前枠フレーム２、後枠フレーム３、可動フレーム体５を含む。
【００１３】
ベース１は、左翼管１１、右翼管１２、前横棒１３と後横棒１４により構成する枠フレームで、後横棒１４にはローラー１４１を設置し機台を移動させる。左翼管１１、右翼管１２の内側辺には長方形のレール溝１２０が形成してある。
【００１４】
前枠フレーム２は、前枠体２３、左枠体２１、右枠体２２により組成し、その上にはモーター４１と伸縮器４２を搭載する。前枠体２３上には延伸板２４を設置し、モーター４１と伸縮器４２を固定可能で、伸縮器内管４３は伸縮器４２から伸出する。前枠フレーム２の両側辺の前端はピボット棒１６によりベース１の左翼管１１、右翼管１２上において回動可能に接続してある。
【００１５】
後枠フレーム３は、左枠体３１、右枠体３２、前スピンドル１７、後スピンドル１８とランニングベルト１９により構成する。
【００１６】
左、右翼管１１、１２の前端には定位板１５を設置し、前枠フレーム２前端はピボット棒１６により定位板１５上において回動可能に設置される。後枠フレーム３前端はピボット棒４０により前枠フレーム２後端の凸薄片２１１、２２１上において回動可能に接続される。
【００１７】
可動フレーム体５は、両側にそれぞれ左翼側板５１と右翼側板５２を設置し、左、右翼側板５１、５２の上端はピボット棒５３、５４により左、右枠体２１、２２の上において可動接続される。左、右翼側板５１、５２の下端は軸棒５７によりスライドホイール５０を固設し、各スライドホイール５０は左、右翼管１１、１２のレール溝１１０、１２０内においてスライド移動する。可動フレーム体５上には連接部５５を設置し、ピボット棒５６により伸縮器内管４３において回動可能に接続される。
【００１８】
モーター４１が作動し伸縮器４２を作用させると、伸縮器内管４３は連接部５５を押し、可動フレーム体５はピボット棒５３、５４を回転の中心とし、該スライドホイール５０はレール溝１１０、１２０内において前端に向かってスライド移動する。こうして前枠フレーム２は持ち上がり上へと上昇する（図２、図６参照）。
【００１９】
伸縮器４２が収縮すると、伸縮器内管４３は連接部５５を引き戻し、これにより可動フレーム体５はやはりピボット棒５３、５４を回転の中心とし、スライドホイール５０はレール溝１１０、１２０内において後端へとスライド移動する。こうして前枠フレーム２は下方へと降りる。
【００２０】
図３は後枠フレーム３を上へと折畳んで収納した状態を示す立体図、図４はその側面図である。図３及び図４に示すように、左枠体３１の下方には係止機構８、気圧棒７（油圧棒に代用可能）を設置し、軸棒８０上に回動可能に設置する。
【００２１】
気圧棒７は、外管７１と内管７２を含み、外管７１は左側翼５１上に可動接続し、内管７２は外管７１内より伸縮し、その末端は軸棒８０上において回動可能に接続する。
【００２２】
更に、図４、図９に併せて示すように、係止機構８は、レンチ端８１、後端部８２、後翼板８３、Ｕ字状受け部８４を含む。
【００２３】
後翼板８３上はバネ６と左枠体３１により相互に連接し、これにより内に向かうバネ力を有する。
【００２４】
後枠フレーム３が上へと折畳み収納される時、気圧棒７は徐々に伸長する。この時、Ｕ字状受け部８４は気圧棒７の外管７１上においてスライド移動し、後枠フレーム３が完全に直立すると、Ｕ字状受け部８４は気圧棒７の内管７２上をスライド移動し、さらにバネ力を利用し、Ｕ字状受け部８４を内管７２上に係合する。この時、気圧棒７は安全に後枠フレーム３を支え、図３に示す折畳み収納状態を呈する。
【００２５】
後枠フレーム３を下ろす時には、レンチ端８１を押し、Ｕ字状受け部８４を内管７２から離脱させ外管７１上においてスライド移動させれば後枠フレーム３を下ろすことができる。
【００２６】
図５乃至図８は、後枠フレーム３の上へと折畳み収納する過程を示す。
【００２７】
図５は後枠フレーム３を平らに置いた状態を示す。モーター４１を起動し伸縮器４２を作用させ、内管４３に可動フレーム体５を連動させると、スライドホイール５０は左、右翼管内のレール溝１１０、１２０内において移動する。これにより該前枠フレーム２、該後枠フレーム３のピボット棒４０は該スライドホイール５０の軸棒５７がレール溝１１０、１２０の左末端に完全に抵触するまで上昇する（図６参照）。
【００２８】
この時、使用者は両手で後枠フレーム３末端から図７に示す状態まで上昇させる。本考案はプログラム設計及び関連する探知構造によりモーター４１を反転させることができ、伸縮器内管４３を内縮させることができる。こうしてピボット棒４０は下降し、また使用者は両手で簡単に後枠フレーム３の末端を上昇させ、図８に示すように後枠フレーム３を完全に折畳んだ状態とすることができる。
【図面の簡単な説明】
【００２９】
【図１】本考案の折畳み式ランニングマシーンの立体図である。
【図２】本考案の折畳み式ランニングマシーンのベースと前枠フレームの立体図である。
【図３】本考案の折畳み式ランニングマシーンにおいて後枠フレームを起立させた状態を示す立体図である。
【図４】図３に示す状態の折畳み式ランニングマシーンの側面図である。
【図５】本考案の折畳み式ランニングマシーンを平らに寝かせた状態の側面図である。
【図６】本考案の折畳み式ランニングマシーンにおいて前枠フレームを起立させた状態の側面図である。
【図７】本考案の折畳み式ランニングマシーンにおいて後枠フレームを持ち上げた状態の側面図である。
【図８】本考案の折畳み式ランニングマシーンにおいて後枠フレームを折畳み重ねた側面図である。
【図９】本考案の折畳み式ランニングマシーンの係止機構、伸縮器の結合状態図である。
【符号の説明】
【００３０】
１    ベース
１１  左翼管
１２  右翼管
１１０、１２０  レール溝
１３  前横棒
１４  後横棒
１５  定位板
１６  ピボット棒
１７  前スピンドル
１８  後スピンドル
１９  ランニングベルト
２    前枠フレーム
２１  左枠体
２２  右枠体
２１１、２２１  凸薄片
２３  前枠体
２４  延伸板
３    後枠フレーム
３１  左枠体
３２  右枠体
４０  ピボット棒
４１  モーター
４２  伸縮器
４３  伸縮器内管
５    可動フレーム体
５１  左翼側板
５２  右翼側板
５３、５４  ピボット棒
５５  連接部
５６  ピボット棒
５７  軸棒
６    バネ
７    気圧棒
７１  外管
７２  内管
８    係止機構
８０  軸棒
８１  レンチ端
８２  後端部
８３  後翼板
８４  Ｕ字状受け部
８５  前翼板
【図１】
0003133321.tif 000003
【図２】
0003133321.tif 000004
【図３】
0003133321.tif 000005
【図４】
0003133321.tif 000006
【図５】
0003133321.tif 000007
【図６】
0003133321.tif 000008
【図７】
0003133321.tif 000009
【図８】
0003133321.tif 000010
【図９】
0003133321.tif 000011